(57)【要約】【課題】吊り紐が他の物品に絡まることがなく、ループ状に閉じた部材にも吊下げ可能な傘の柄を提供する。【解決手段】その側壁（11）には貫通孔（12）が明けられると共に、側壁の外周に沿って少なくとも１つの環状溝（13）が形成された握り柄（１）と; 環状溝（13）の終端部（16）に設けられたフック（２）と; 内端部（31）が握り柄内に保持され、外端部（32）は貫通孔（12）から握り柄（１）の外側へ突出してループ部（34）を形成する伸縮性吊り紐（３）と; を備え; 吊り紐（３）はその折返し部（37）がフック（２）に引っ掛けられることにより、握り柄（１）の外周に巻き付けられ、これにより、傘（６）を収納具（５）内に収納したときに吊り紐（３）が他の物品と絡まり合わず; 他方、吊り紐（３）の折返し部（37）を、閉じた部材（51）の内部をくぐらせた後、フック（２）に引っ掛けることにより、傘（６）を吊り下げ得るように構成したこと; を特徴とする。【選択図】  図１
2006158675.tif 000002
【特許請求の範囲】
【請求項１】
傘軸の一端に取り付けられる握り柄（１）であって、筒状の側壁（１１）を有し、当該側壁にはこれを貫通する貫通孔（１２）が明けられると共に、側壁の外周に沿って少なくとも１つの環状溝（１３）が形成され、当該環状溝は始端（１５）及び終端（１６）を有し、当該始端（１５）は上記貫通孔（１２）に通じるよう形成されて成る握り柄（１）と; 
上記握り柄（１）上の上記少なくとも１つの環状溝（１３）の終端（１６）の位置に設けられたフック（２）と; 
伸縮性の吊り紐（３）であって、その内端部（３１）は上記握り柄の貫通孔（１２）より太く形成されることにより貫通孔の周囲の内壁面に当接せしめられ、その外端部（３２）は上記貫通孔（１２）を通過して握り柄（１）の外側へ突出するループ部（３４）を形成し、当該ループ部（３４）は、第１及び第２の半ループ部（３５，３６）と、当該第１及び第２の半ループ部（３５，３６）の間を一体的に接続する折返し部（３７）とを形成するよう構成された伸縮性吊り紐（３）と; を備え; 
上記伸縮性吊り紐（３）は、その折返し部（３７）が上記フック（２）に引っ掛けられた状態において、その第１及び第２の半ループ部（３５，３６）が上記少なくとも一つの環状溝（１３）内に弾力性を持った状態でぴったりと嵌まり込んで上記握り柄（１）の外周に巻き付けられ、これにより、傘（６）をバッグ等の収納具（５）内に収納したとき、上記伸縮性吊り紐（３）が収納具（５）内の他の物品と絡まり合わないよう構成され; 
他方、上記伸縮性吊り紐（３）を、ループ状に閉じた部材（５１）の内部をくぐらせた後、その外端に位置する折返し部（３７）を上記握り柄のフック（２）に引っ掛けることにより、傘（６）を上記ループ状に閉じた部材（５１）に吊り下げ得るよう構成されたこと; 
を特徴とする、吊り紐が他の物品に絡まることがなく、閉じた部材にも吊下げ可能な傘の柄。
【請求項２】
上記握り柄（１）の外周に、第１及び第２の環状溝（１３ａ，１３ｂ）から成る２本の溝が同軸かつ並列して形成され、上記伸縮性吊り紐（３）の折返し部（３７）を上記フック（２）に引っ掛けたとき、上記伸縮性吊り紐の第１及び第２の半ループ部（３５，３６）が上記第１及び第２の環状溝（１３ａ，１３ｂ）内にそれぞれ弾力性を持った状態でぴったりと嵌まり込んで上記握り柄（１）の外周に巻き付けられることを特徴とする請求項１に記載の傘の柄。
【請求項３】
上記少なくとも１つの環状溝（１３）の終端（１６）が、凹部（１７）として形成されたことを特徴とする請求項１に記載の傘の柄。
【請求項４】
上記第１及び第２環状溝（１３ａ，１３ｂ）の終端（１６）が、互いに連続する共通の凹部（１７）として形成されたことを特徴とする請求項２に記載の傘の柄。
【請求項５】
上記少なくとも１つの環状溝（１３）の終端（１６）が、その始端（１５）とは分離されていることを特徴とする請求項１に記載の傘の柄。
【請求項６】
上記フック（２）が、握り柄（１）上に握り柄と一体的に形成されたことを特徴とする請求項１に記載の傘の柄。
【請求項７】
上記フック（２）が、握り柄（１）とは別個の部材として作製され、これを固定手段を用いて握り柄（１）に固定したことを特徴とする請求項１に記載の傘の柄。
【請求項８】
傘の石突を下へ向けた状態において上記フック（２）の下端近くに、握り柄の側壁へ向けて突出する爪部（２１）を形成したことを特徴とする請求項１に記載の傘の柄。
【請求項９】
握り柄（１）の外周面に、上記少なくとも１つの環状溝（１３）を横切る方向に延びる指当て凹部（１８）が形成され、当該指当て凹部（１８）は上記少なくとも１つの環状溝（１３）を横切る軸方向において両端部を有するよう形成されたことを特徴とする請求項１に記載の傘の柄。
【請求項１０】
握り柄（１）の側壁（１１）の内側で前記貫通孔（１２）の位置にワッシャ（４）を設け、伸縮性吊り紐（３）を握り柄の内部から引き出すときに、最初に上記ワッシャ（４）を通過させ、然るのち貫通孔（１２）を通過させるよう構成したことを特徴とする請求項１に記載の傘の柄。
【発明の詳細な説明】
【技術分野】
【０００１】
本発明は、傘の柄の改良に関し、より具体的には、バッグ等の収納具に収納した場合にも、収納具内の他の品物と絡まる（からまる）ことがなく、また、バッグの提げ手のようなループ状に閉じた部材にも吊り下げることが可能な傘の柄に関するものである。
【背景技術】
【０００２】
曇りや雨の日には、通常多くの人が傘を持ち歩き、いつでも使えるようにしている。
【０００３】
傘を便利に持ち運べるようにするため、特に小サイズの折畳み傘においては、その握り柄部分に吊り紐が取り付けられており、この吊り紐は、指でぶら下げることができるように、通常は閉じたループ状に形成されている。
【０００４】
傘を持ち歩くときは、通常、その傘で片手はふさがれてしまう。そのため、両手を使う必要のあるとき、例えば、乳児を抱くときや、買い物中に品物を取り上げるときなどには、手に持っている傘が邪魔になり、その取扱いに煩わされることが多い。
【０００５】
従って、閉じたり折り畳んだりした傘は、それを使わないときは手持ちのバッグ等に入れたり、バッグその他の持ち物の外側にぶら下げたりすることが日常的に行われている。そうすることにより、両手が空き、自由に使えるようになる。また、傘が濡れている場合には、バッグ内の品物を濡らさないように、通常、傘はバッグの外側に吊り下げられる。
【０００６】
然しながら、上記のような吊り紐を有するポケットサイズ又はミニサイズの傘をバッグ等の持ち物の中から取り出そうとするとき、吊り紐のループ部が、例えばハンドバッグ内の化粧品など、周りの小物と絡まりやすく、使用者を煩わせたり不便な思いをさせたりすることが多い。
【０００７】
家に居るときには、上記吊り紐のループ部を、壁に取り付けられた普通の上部が開いたフックや、帽子・外套掛けの枝棒に引っ掛けることにより、傘を吊り下げて保管することは容易である。然しながら、そのようなフックが公共の場に常に備えられている訳ではない。そのため、傘を持ち歩いている者が、傘を吊り下げておくために便利なものを見つけ出すことができない場合が多い。更にまた、傘の吊り紐は通常閉じたループ状をなしているため、これを、同じくループ状に閉じた部材、例えば手元のハンドバッグの提げ手とか椅子のアーチ形の肘掛けなどに引っ掛けて吊り下げることは不可能である。
【０００８】
そのため、傘の使用者が、その持ち歩いているハンドバッグ等の収納具に傘を収納しても、これがハンドバッグ内の他の物品と絡まったりすることがなく、また必要に応じて、傘を手近の閉じた部材に吊り下げることも可能な便利な手段が提供されることが望まれている。
【０００９】
下記の特許文献１（米国特許第４，６１６，８６８号）には、ループ状の結び紐を具えた傘の握り柄が開示されている。然しながら、この傘の柄は、傘を使わないときに、この結び紐を握り柄の内部に引き込んだり、握り柄の外周に巻き付けたりするための手段を備えていない。そのため、傘を使用しないときにこれをハンドバッグ等に収納した際に、この握り柄の外側に飛び出しているループ状の結び紐が周りの小物と絡まりやすく、ハンドバッグ等から傘を取り出すときにトラブルが生じやすい。更にまた、このループ状の結び紐は、閉じたループを形成しており、これを随意に開くことはできない構造となっているので、傘の不使用時に、この閉じたループ状の結び紐を利用して、閉じた部材（例えば、前記の如く、ハンドバッグの提げ手や、椅子のアーチ形の肘掛けなど）に傘を吊り下げることは不可能である。
【００１０】
また、下記特許文献２（米国特許第４，６３２，１３７号）には、硬質の保持リングを有する傘の握り柄が開示されている。傘を使用しないときは、この保持リングを握り柄上に形成された溝に嵌め込んで固定することにより、他の物品に絡まるのを防止できるようになっている。然しながら、この保持リングも、閉じた部材であるので、別の閉じた部材にこれを引っ掛けるなどして傘を吊り下げることは不可能である。
【００１１】
更にまた、下記特許文献３（米国特許第４，６２４，２７６号）には、結び具を有する傘の握り柄が開示されている。傘を使用しないときは、この結び具を、握り柄の外周に形成した環状の溝に巻き付けることにより、他の物品に絡まるのを防止できるようになっている。然しながら、この結び具も、両端とも閉じられているため、別の閉じた部材にこれを引っ掛けるなどして傘を吊り下げることは不可能である。
【００１２】
【特許文献１】米国特許第４，６１６，８６８号
【特許文献２】米国特許第４，６３２，１３７号
【特許文献３】米国特許第４，６２４，２７６号
【発明の開示】
【発明が解決しようとする課題】
【００１３】
本発明は、上記の問題点を解決するためなされたものであり、その目的とするところは、ハンドバッグ等の収納具に収納したときは、その吊り紐が他の物品に絡まることがなく、他方、ハンドバッグの提げ手の如くループ状に閉じた部材にも吊下げることも可能なように構成された傘の柄を提供することにある。
【課題を解決するための手段】
【００１４】
上記の目的を達成するため、本発明に係る傘の柄は; 
傘軸の一端に取り付けられる握り柄であって、筒状の側壁を有し、当該側壁にはこれを貫通する貫通孔が明けられると共に、側壁の外周に沿って少なくとも１つの環状溝が形成され、当該環状溝は始端及び終端を有し、当該始端は上記貫通孔通じるよう形成されて成る握り柄と; 
上記握り柄上の上記少なくとも１つの環状溝の終端の位置に設けられたフックと; 
伸縮性の吊り紐であって、その内端部は上記握り柄の貫通孔より太く形成されることにより貫通孔の周囲の内壁面に当接せしめられ、その外端部は上記貫通孔を通過して握り柄の外側へ突出するループ部を形成し、当該ループ部は、第１及び第２の半ループ部と、当該第１及び第２の半ループ部の間を一体的に接続する折返し部とを形成するよう構成された伸縮性吊り紐と; を備え; 
上記伸縮性吊り紐は、その折返し部が上記フックに引っ掛けられた状態において、その第１及び第２の半ループ部が上記少なくとも一つの環状溝内に弾力性を持った状態でぴったりと嵌まり込んで上記握り柄の外周に巻き付けられ、これにより、傘をバッグ等の収納具内に収納したとき、上記伸縮性吊り紐が収納具内の他の物品と絡まり合わないよう構成され; 
他方、上記伸縮性吊り紐を、ループ状に閉じた部材の内部をくぐらせた後、その外端に位置する折返し部を上記握り柄のフックに引っ掛けることにより、傘を上記ループ状に閉じた部材に吊り下げ得るよう構成されたこと; を特徴とするものである。
【００１５】
望ましくは、上記握り柄の外周に、第１及び第２の環状溝から成る２本の溝が同軸かつ並列して形成され、上記伸縮性吊り紐の折返し部を上記フックに引っ掛けたとき、上記伸縮性吊り紐の第１及び第２の半ループ部が上記第１及び第２の環状溝内にそれぞれ弾力性を持った状態でぴったりと嵌まり込んで上記握り柄の外周に巻き付けられるように構成される。
上記少なくとも１つの環状溝の終端は、凹部として形成されることが望ましく、環状溝が上記第１及び第２環状溝から構成される場合には、それら２つの環状溝の終端が、互いに連続する共通の凹部として形成されることが望ましい。
上記少なくとも１つの環状溝の終端は、その始端とは分離されていることが望ましい。
【００１６】
上記フックは、握り柄上に握り柄と一体的に形成されてもよいし、握り柄とは別個の部材として作製され、これを固定手段を用いて握り柄に固定するようにしてもよい。
傘の石突を下へ向けた状態において上記フックの下端近くに、握り柄の側壁へ向けて突出する爪部を形成することが推奨される。
また、握り柄の外周面に、上記少なくとも１つの環状溝を横切る方向に延びる指当て凹部が形成され、当該指当て凹部は上記少なくとも１つの環状溝を横切る軸方向において両端部を有するよう形成されることも推奨される。
握り柄の側壁の内側で前記貫通孔の位置にワッシャを設け、伸縮性吊り紐を握り柄の内部から引き出すときに、最初に上記ワッシャを通過させ、然るのち貫通孔を通過させるよう構成することも推奨される。
【発明の効果】
【００１７】
上記の如き構成であると、ハンドバッグ等に傘を収納するときは、上記伸縮性吊り紐のループ部を上記少なくとも一つの環状溝内に嵌め込んだ状態で、当該伸縮性吊り紐の折返し部を上記フックに引っ掛けることにより、当該伸縮性吊り紐が環状溝内に弾力性を持った状態でぴったりと巻き付けられ、これにより、上記伸縮性吊り紐がハンドバッグ等の内部の他の物品と絡まり合うのが防止される。
他方、傘をハンドバッグの提げ手等の如くループ状に閉じた部材に吊り下げるときは、上記伸縮性吊り紐を、閉じた部材の内部をくぐらせた後、吊り紐の折返し部を握り柄のフックに引っ掛けることにより、傘を上記閉じた部材に吊り下げることができる。
【発明を実施するための最良の形態】
【００１８】
以下、図面に示す実施例を参照しつつ、本発明を実施するための最良の形態について説明する。
【実施例】
【００１９】
図１は、吊り紐が他の物品に絡まることがなく、閉じた部材にも吊下げ可能なように構成された本発明に係る傘の柄の第１実施例を分解した状態において示す正面図、
図２は、図１に示した傘の握り柄の左側面図、
図３は、図１に示した傘の握り柄の背面図、
図４は、図１に示した傘の握り柄の外周に伸縮性吊り紐を巻き付けた状態を示す正面図、
図５は、図１に示した傘の握り柄の外周に伸縮性吊り紐を巻き付けた状態を示す背面図、
図６は、図１に示した傘の握り柄に取り付けた伸縮性吊り紐を折り曲げて、その自由端を握り柄上のフックに引っ掛けた状態を示す正面図、
図７は、図６に示した正面図に対する左側面図、
図８は、本発明に係る傘の握り柄に取り付けた伸縮性吊り紐の自由端を、ハンドバッグの提げ手に挿通した後、これを折り曲げて、握り柄上のフックに引っ掛けた状態を示す説明図、
図９は、吊り紐が他の物品に絡まることがなく、閉じた部材にも吊下げ可能なように構成された本発明に係る傘の柄の第２実施例を示す斜視図である。
【００２０】
図１、図２及び図３には、本発明に係る傘の柄の第１実施例が示されており、例えばハンドバッグの提げ手のようにループ状に閉じた部材に吊り下げ得るように構成された傘の柄であって、ハンドバッグ等に傘を収納したときには、その吊り紐が他の物品と絡まることのないように構成された柄が示されている。図示する如く、本発明に係る絡まることのない傘の柄は、大別して、握り柄１と、フック２と、伸縮性の吊り紐３とから構成されている。
【００２１】
握り柄１は、図では省略した傘軸の一端に取り付けられて、傘の一部を構成する。本発明は、傘の握り柄とその吊り紐に関するものであるので、本明細書では、それら以外の構成要素についての説明は省略する。
【００２２】
特に説明はしないが、本発明に係る傘の握り柄とその吊り紐は、さまざまなタイプの傘に適用可能であり、例えば、折畳み傘、折畳みではない傘、自動開傘式の傘、手動開閉傘、等々に広く適用可能である。
【００２３】
この第１実施例に係る握り柄１は、折畳み傘に広く採用し得る円筒形に形成されている。然しながら、本発明に係る握り柄１は、そのような形状に限定されるものではなく、例えば四角形、その他任意の形状のものとすることが可能である。
【００２４】
握り柄１の外周面は、円筒形の側壁１１として形成され、当該側壁１１を貫通するように貫通孔１２が明けられている。握り柄１の側壁１１の外周面には、少なくとも１つの環状溝１３が形成されている。図示した第１実施例のものにおいては、２つの環状溝、即ち、第１及び第２の環状溝１３ａ，１３ｂが、外周面に沿って同軸に並列に形成され、両溝の間に境界稜１４が形成されるようになっている。上記少なくとも１つの環状溝１３は、始端１５と終端１６とを有している。始端１５は上記貫通孔１２に通じており、また、終端１６は始端１５と接するか、若しくはこれから分離されてるようになっている。図示した握り柄の第１実施例においては、終端１６は始端１５から分離されている。即ち、環状溝１３もしくは第１及び第２環状溝１３ａ，１３ｂは、握り柄１の全周にわたってはおらず、図示する如く、終端と始端の間で途切れている。環状溝１３もしくは第１及び第２環状溝１３ａ，１３ｂの終端１６は、望ましくは側壁１１の凹部１７として形成されている。即ち、上記第１及び第２環状溝１３ａ，１３ｂは、望ましくは、互いに共通の凹部１７としての終端１６を有し、当該凹部１７にはフック２が設けられている。フック２は、側壁１１の外周面と同等に湾曲した外面を有し、フック２が側壁１１から半径方向に突出することなく、握り柄１が滑らかな外形を有するように形成されている。
【００２５】
上記の如く、フック２は、握り柄１上の上記環状溝１３又は第１及び第２環状溝１３ａ，１３ｂの終端１６の部分の凹部１７の位置に設けられる。フック２は、握り柄１と一体的に形成されてもよいし、或るいはまた、別個に作製されたものを、例えばネジ等の固定手段を用いて、若しくは、接着剤等を用いて（いずれも図示せず）、固着するようにしてもよい。フック２は、上記伸縮性吊り紐３の折返し部３７をこれに係止するために用いられる。伸縮性吊り紐３がフック２から容易に脱落するのを防止するために、フック２には、図２に示した状態（傘の石突を下へ向けた状態）において、フック２の下端に近い内面側に、握り柄１の側へ向けて突出する爪２１が形成されている。これにより伸縮性吊り紐３の折返し部３７は、上記爪２１と握り柄１の側面１１との間の隙間を通じてフック２の内部へスムーズに滑り込み、フック２から容易に離脱しないようになっている。フック２の下端部、即ち、爪２１の部分は若干の可撓性を有し、伸縮性吊り紐３がフック内に出入りするときに弾性変形して、僅かに変位し得るようになっている。
【００２６】
伸縮性吊り紐３は、その内端部３１において握り柄１に連結されている。図示した第１実施例においては、吊り紐３の外端部３２を、握り柄１の内部から貫通孔１２を通じて外側へ引き出し、吊り紐３の内端に取り付けたストッパ３３が、その外径よりも小径の貫通孔１２に阻止されることにより、吊り紐３の内端部３１が握り柄１の内部に止まり、伸縮性吊り紐３が握り柄１に取り付けられるようになっている。握り柄１の外側へ引き出された伸縮性吊り紐３の外端部３２は、ループ部３４を形成する。このループ部３４は、第１及び第２の半ループ部３５，３６と、これらの間で両者を一体的に接続する折返し部３７とから形成される。
【００２７】
伸縮性吊り紐３を握り柄１に対して一層堅固に固定するために、握り柄１の側壁１１の内側で前記貫通孔１２の位置にワッシャ４を設け、伸縮性吊り紐３を握り柄１の内部から引き出すときに、最初にワッシャ４を通過させ、その後貫通孔１２を通過させるように構成することが望ましい。
【００２８】
次に図４及び図５を同時に参照されたい。傘を使用しないとき、もしくは一時的に片づけておきたいときには、使用者は例えば持ち歩いているハンドバッグの中に傘を仕舞うことになる。その前に、使用者は、先ず上記伸縮性吊り紐３のループ部３４の第１及び第２の半ループ部３５，３６を握り柄１の前記第１及び第２環状溝１３ａ，１３ｂの周りに巻き付け、折返し部３７をフック２にしっかりと引っ掛けるようにする。これにより握り柄１の外側に飛び出していた伸縮性吊り紐３のループ部３４は、握り柄１の周りにぴったりと巻き付けられ、これにより、伸縮性吊り紐３がハンドバッグ内の物品に絡まることがない。このとき、上記第１及び第２環状溝１３ａ，１３ｂの間の境界稜１４が、伸縮性吊り紐１３の第１及び第２の半ループ部３５，３６を、それぞれ上記環状溝１３ａ，１３ｂ中に案内する役割を果たし、これによって、上記第１及び第２の半ループ部３５，３６が互いに交叉することなく握り柄１の周りに巻き付けられ、これによって握り柄１の外周面を可能な限り滑らかな状態に保つことができる。
【００２９】
握り柄１の前記貫通孔１２が明けられた側とは反対側の側壁１１の外周面には、上記第１及び第２環状溝１３ａ，１３ｂを横切る方向に延びる指当て凹部１８が形成されている。当該指当て凹部１８は、上記環状溝１３ａ，１３ｂを横切る方向、即ち、軸方向において、両端部を有するように、即ち、軸方向に所定の長さだけ形成されるようにする。傘を使用するに際して、握り柄１に巻き付けられた伸縮性吊り紐３を外したいときには、使用者は、上記指当て凹部１８に指をあてがって伸縮性吊り紐３を押し動かすことによって、上記環状溝１３ａ，１３ｂから容易に離脱させることができるようになっている。
【００３０】
図６、図７及び図８には、本発明に係る傘の柄を、ループ状に閉じた部材に吊り下げる際の状態が示されている。図８に示した例においては、上記ループ状に閉じた部材とは、ハンドバッグ５の本体に両端が固着された提げ手５１である。図８に示すように、傘６に取り付けられた本発明に係る握り柄１は、ハンドバッグ５の提げ手５１に、上記伸縮性吊り紐３によって吊り下げられている。必要に応じて、傘６は防水カバー６１内に収容される。
【００３１】
上記のように傘６をハンドバッグ５の提げ手５１に吊り下げるには、伸縮性吊り紐３の自由端、即ち、折返し部３７を提げ手５１の内部をくぐらせた後、当該折返し部３７を握り柄１のフック２に引っ掛けることにより、簡単に吊り下げることができる。このようにして、傘６は、使用者が持ち歩いているハンドバッグ５の提げ手５１に伸縮性吊り紐３によって吊り下げられ、ハンドバッグ５内の品物を濡らさないで済む。
【００３２】
図９には、閉じた部材に吊り下げることが可能な本発明に係る絡まない傘の柄の第２実施例が示されている。この実施例の傘の握り柄１は、その軸直角断面形状が矩形である点を除いて、構造的にも機能的にも前記第１実施例と同様である。  
【００３３】
本発明によるときは、使用者は、傘を使用しないときにこれを例えばハンドバッグ等の携帯物の中に収納するか、或いはまた、ハンドバッグその他の手近な携帯物の外にぶら下げて持ち歩くかを任意に選択できる。本発明に係る握り柄を備えた傘を、例えばハンドバッグ内に収納するときは、その伸縮性吊り紐を握り柄の周りに巻き付けることによって、ハンドバッグ内の他の小物に当該吊り紐が絡まるのを防止でき、傘全体もきちんと纏まって、その外観も美しく整えられる。ハンドバッグの提げ手やこれと同類のもの或いは手近の閉じた部材に傘を吊り下げるときは、上記伸縮性吊り紐の外端部又は折返し部を当該閉じた部材に挿通した後、吊り紐を曲げてその折返し部を握り柄のフックに引っ掛けることによって、傘をハンドバッグその他手近な物品に吊り下げることが可能である。その場合、伸縮性吊り紐を引っ掛けるためのハンドバッグの提げ手その他の閉じた部材は、両端が移動不可能なように固定された部材であれば、任意のものでよい。
【００３４】
なお、本発明は上記の実施例に限定されるものではなく、特許請求の範囲に記載した本発明の本旨の範囲内において、上記の説明及び図面の記載から当業者が容易に想到し得るすべての変更実施例を包摂するものである。
【産業上の利用可能性】
【００３５】
本発明は以上の如く構成されるから、本発明によるときは、傘をハンドバッグ等に収納したときは、その吊り紐がバッグなっているの他の物品に絡まることがなく、他方、ハンドバッグの提げ手の如くループ状に閉じた部材にも吊下げることも可能な傘の柄を提供し得るものであり、産業上多大の利用可能性を有するものである。
【図面の簡単な説明】
【００３６】
【図１】吊り紐が他の物品に絡まることがなく、閉じた部材にも吊下げ可能なように構成された本発明に係る傘の柄の第１実施例を分解した状態において示す正面図である。
【図２】図１に示した傘の握り柄の左側面図である。
【図３】図１に示した傘の握り柄の背面図である。
【図４】図１に示した傘の握り柄の外周に伸縮性吊り紐を巻き付けた状態を示す正面図である。
【図５】図１に示した傘の握り柄の外周に伸縮性吊り紐を巻き付けた状態を示す背面図である。
【図６】図１に示した傘の握り柄に取り付けた伸縮性吊り紐を折り曲げて、その自由端を握り柄上のフックに引っ掛けた状態を示す正面図である。
【図７】図６に示した正面図に対する左側面図である。
【図８】本発明に係る傘の握り柄に取り付けた伸縮性吊り紐の自由端を、ハンドバッグの提げ手に挿通した後、これを折り曲げて、握り柄上のフックに引っ掛けた状態を示す説明図である。
【図９】吊り紐が他の物品に絡まることがなく、閉じた部材にも吊下げ可能なように構成された本発明に係る傘の柄の第２実施例を示す斜視図である。
【符号の説明】
【００３７】
１      握り柄
１１    側壁
１２    貫通孔
１３    環状溝
１３ａ  第１環状溝
１３ｂ  第２環状溝
１４    境界稜
１５    始端
１６    終端
１７    凹部
１８    指当て凹部
２      フック
２１    爪部
３      伸縮性吊り紐
３１    内端部
３２    外端部
３３    ストッパ
３４    ループ部
３５    第１半ループ部
３６    第２半ループ部
３７    折返し部
４      ワッシャ
５      ハンドバッグ
５１    提げ手
６      傘
６１    防水カバー
【図１】
2006158675.tif 000003
【図２】
2006158675.tif 000004
【図３】
2006158675.tif 000005
【図４】
2006158675.tif 000006
【図５】
2006158675.tif 000007
【図６】
2006158675.tif 000008
【図７】
2006158675.tif 000009
【図８】
2006158675.tif 000010
【図９】
2006158675.tif 000011